(57)【要約】【課題】複数方路にわたる光クロスコネクト装置において、警報転送を円滑に実施する方法を提供する。【解決手段】光クロスコネクト装置ノード監視制御部の警報転送情報格納部で管理する管理テーブルにおいて、受信した警報転送情報だけでなく、方路単位で「装置内のＷＳＳ入出力ポート光ファイバ接続状態」「Ｄｒｏｐ／Ｔｈｒｏｕｇｈ選択側のＷＳＳ光パス設定状態」「接続先トランスポンダ実装位置」「接続先方路」をテーブルとして管理し、これらの管理情報とＦＤＩ受信情報とを照合して、警報転送先を指定する処理フローを追加することにより、複数方路に渡る光クロスコネクト装置の警報転送処理を円滑に実施する。【選択図】図９
2011019165.tif 000002
【特許請求の範囲】
【請求項１】
Ｎ方路ごとに１×Ｎ波長選択性光スイッチと、Ｎ×１波長選択性スイッチとを有し、さらに各Ｎ方路に共通な監視制御部を備えた光クロスコネクト装置において、
前記監視制御部は、前記１×Ｎ波長選択性光スイッチのパス設定と、前記１×Ｎ波長選択性光スイッチの出力先方路と、前記１×Ｎ波長選択性光スイッチのパス設定がＤｒｏｐのときの接続先との情報を保持する警報転送情報格納部を備え、ＦＤＩ警報を受信したとき、この警報転送情報格納部を参照して、ＦＤＩ警報の転送を行なうことを特徴とする光クロスコネクト装置。
【請求項２】
請求項１に記載の光クロスコネクト装置であって、
前記制御部は、ＦＤＩ警報を受信したとき、この警報転送情報格納部を参照して、ＬＯＳ警報をマスクすることを特徴とする光クロスコネクト装置。
【請求項３】
Ｎ方路ごとに１×Ｎ光スイッチと、Ｎ×１波長選択性スイッチとを有し、さらに各Ｎ方路に共通な監視制御部を備えた光クロスコネクト装置において、
前記監視制御部は、前記１×Ｎ光スイッチのパス設定と、前記１×Ｎ光スイッチの出力先方路と、前記１×Ｎ光スイッチのパス設定がＤｒｏｐまたはＢｒｉｄｇｅのときの接続先との情報を保持する警報転送情報格納部を備え、ＦＤＩ警報を受信したとき、この警報転送情報格納部を参照して、ＦＤＩ警報の転送を行なうことを特徴とする光クロスコネクト装置。
【請求項４】
請求項３に記載の光クロスコネクト装置であって、
前記制御部は、ＦＤＩ警報を受信したとき、この警報転送情報格納部を参照して、ＬＯＳ警報をマスクすることを特徴とする光クロスコネクト装置。
【発明の詳細な説明】
【技術分野】
【０００１】
本発明は光クロスコネクト装置に係り、特に複数方路に接続され、警報転送機能を実現する光クロスコネクト装置に関する。
【背景技術】
【０００２】
インターネットに代表されるデータトラフィックの急増により、通信ネットワークの伝送容量の大容量化が進んでいる。大容量化は、伝送信号を電気信号から光信号化し、時分割多重技術および光波長多重技術を用いて実現されている。１チャネルあたり毎秒１０Ｇｂｉｔ／ｓ、４０Ｇｂｉｔ／ｓ、１００Ｇｂｉｔ／ｓの信号を扱う伝送装置および数チャネルから数十チャネル分の時分割多重された信号を１本の光ファイバに波長多重し、光増幅器または再生中継器等を用いて、数百ｋｍを超える長距離伝送が可能なポイント・ツー・ポイント型の波長多重伝送装置が実用化されている。
【０００３】
今後の伝送容量の需要増、さらなる経済化およびサービスの多様化に対応するため、通信ノードを環状に接続したリング型光ネットワーク（図１Ａ）、複数のリング型光ネットワークを一部の接点で接続したマルチリング型光ネットワーク（図１Ｂ）、更に経路選択の自由度を増すために網目状に接続したメッシュ型光ネットワーク（図１Ｃ）が導入されている。
【０００４】
リング型光ネットワークで使われる光伝送装置は、光分岐挿入装置（Optical Add-Drop Multiplexer；ＯＡＤＭ）と呼ばれる。図１ＡのＡ、Ｂ、Ｃ、Ｄ局の装置、あるいは図１ＢのＡ、Ｂ、Ｃ、Ｅ、Ｆ、Ｇ局の装置が光分岐挿入装置に該当する。また、マルチリング型ネットワークの接点のノードないしメッシュ型光ネットワークで使われるノード装置は光クロスコネクト装置（Optical Cross-Connect；ＯＸＣ）と呼ばれる。
【０００５】
ここで、図１の各図を説明する。図１Ａにおいて、リング型光ネットワーク２１０は、Ａ〜Ｄ局のＯＡＤＭ１０２と、ＯＡＤＭ１０２間をリング状に接続する光ファイバ伝送路１０１とから構成される。
【０００６】
図１Ｂにおいて、マルチリング型光ネットワーク２２０は、第１のリング型光ネットワークを構成するＡ〜Ｃ局のＯＡＤＭ１０２とＤ局のＯＸＣ１０３と、第２のリング型光ネットワークを形成するＥ〜Ｇ局のＯＡＤＭ１０２と、ＯＡＤＭ１０２およびＯＸＣ１０３間をリング状に接続する光ファイバ伝送路１０１とから構成される。ＯＸＣ１０３（Ｄ局）は、第１のリングと第２のリングに共通なノードである。
【０００７】
図１Ｃにおいて、メッシュ型光ネットワーク２３０は、Ａ〜Ｄ局のＯＸＣ１０３と、ＯＸＣ１０３をメッシュ状に接続する光ファイバ伝送路１０１とから構成される。
【０００８】
こうした光ネットワークは、各ノード装置を遠隔一元管理する網監視制御システムによる運用の簡素化、または各ノード装置の監視制御部が相互連携で、回線の始点から終点までの、エンド・ツー・エンドのパス管理の容易化、およびパス設定の高速化が期待できる。さらに、高度な光伝送技術を用いて、電気・光変換せずに光信号のままノードを通過（スルー）させる構成とすることで、網全体を経済的に実現できる。
【０００９】
ＯＡＤＭ１０２、ＯＸＣ１０３は、光信号のアド・ドロップ／スルーの選択および経路切替のため、光スイッチが用いられる。現在、光スイッチを実現する技術として、静電力を利用して半導体技術で作成した微小なミラーを制御するMicro-Electro-Mechanical Systems（ＭＥＭＳ）型スイッチが知られている。また、ＭＥＭＳまたは液晶技術を用いて、単なる切替機能だけでなく、波長多重機能も備えた波長選択スイッチ（Wavelength Selective Switch；ＷＳＳ）が知られている。ＷＳＳは、図１Ｂおよび図１Ｃのような複数伝送路との接続が必要とされるネットワークで近年幅広く利用されつつある。
【００１０】
ここで、ＷＳＳの動作について図２を用いて簡単に説明する。図２Ａにおいて、１×Ｎ ＷＳＳ１０４のＰｏｒｔ＿ｃはＷＳＳの入力ポート、Ｐｏｒｔ＿１、Ｐｏｒｔ＿２、Ｐｏｒｔ＿ＮはＷＳＳの出力ポートを表す。このような入力ポート数１、出力ポート数Ｎの１ｘＮ ＷＳＳは所定の制御信号を入力することにより、Ｐｏｒｔ＿１からＰｏｒｔ＿Ｎの任意の出力ポートに任意の波長を出力することができるデバイスである。図２の例では、Ｐｏｒｔ＿ｃからλ１、λ２、λ３、…、λｍのｍ個の波長多重信号を入力し、Ｐｏｒｔ＿１でλ１、λ５が、Ｐｏｒｔ＿２ではλ２、λ７、λｍが、Ｐｏｒｔ＿Ｎでλ４、λ６、λ８〜λｍ−１が出力される様子を示している。また、図２Ａのλ３のようにＷＳＳで特定の波長をブロックすることも可能である。
【００１１】
図２Ｂにおいて、出力ポート、入力ポートを入れ替えて動作をするＮポート入力、１ポート出力のＮｘ１ ＷＳＳ１０５も実現可能である。Ｎｘ１ ＷＳＳ１０５は、Ｐｏｒｔ＿１からλ１、λ５を、Ｐｏｒｔ＿２からλ２、λ７、λｍを、Ｐｏｒｔ＿Ｎからλ４、λ６、λ８〜λｍ−１を入力され、Ｐｏｒｔ＿ｃからλ１、λ２、…、λｍの（ｍ−１）個の波長の波長多重信号を出力する。
ＷＳＳを使用した光分岐挿入装置、光クロスコネクト装置の構成は、特許文献１、特許文献２等に開示されている。
【先行技術文献】
【特許文献】
【００１２】
【特許文献１】特開２００６−１４０５９８
【特許文献２】特開２００６−２６２３６５
【発明の概要】
【発明が解決しようとする課題】
【００１３】
本発明は、方路数３以上の複数方路にわたる光クロスコネクト装置において、警報転送を円滑に実施する警報転送方法および光クロスコネクト装置を提供するものである。
【課題を解決するための手段】
【００１４】
光クロスコネクト装置ノード監視制御部の警報転送情報格納部で管理する管理テーブルにおいて、受信した警報転送情報だけでなく、方路単位で「装置内のＷＳＳ入出力ポート光ファイバ接続状態」「Ｄｒｏｐ／Ｔｈｒｏｕｇｈ選択側のＷＳＳ光パス設定状態」「接続先トランスポンダ実装位置」「接続先方路」をテーブルとして管理し、これらの管理情報とＦＤＩ（Forward Error Indication）受信情報とを照合して警報転送先を指定する処理フローを追加することにより、複数方路に渡る光クロスコネクト装置の警報転送処理を円滑に実施する。
【００１５】
上述した課題は、Ｎ方路ごとに１×Ｎ波長選択性光スイッチと、Ｎ×１波長選択性スイッチとを有し、さらに各Ｎ方路に共通な監視制御部を備え、監視制御部は、１×Ｎ波長選択性光スイッチのパス設定と、１×Ｎ波長選択性光スイッチの出力先方路と、１×Ｎ波長選択性光スイッチのパス設定がＤｒｏｐのときの接続先との情報を保持する警報転送情報格納部を備え、ＦＤＩ警報を受信したとき、この警報転送情報格納部を参照して、ＦＤＩ警報の転送を行なう光クロスコネクト装置により達成できる。
【００１６】
また、Ｎ方路ごとに１×Ｎ光スイッチと、Ｎ×１波長選択性スイッチとを有し、さらに各Ｎ方路に共通な監視制御部を備え、監視制御部は、１×Ｎ光スイッチのパス設定と、１×Ｎ光スイッチの出力先方路と、１×Ｎ光スイッチのパス設定がＤｒｏｐまたはＢｒｉｄｇｅのときの接続先との情報を保持する警報転送情報格納部を備え、ＦＤＩ警報を受信したとき、この警報転送情報格納部を参照して、ＦＤＩ警報の転送を行なう光クロスコネクト装置により、達成できる。
【発明の効果】
【００１７】
本発明により方路数３以上の複数方路にわたる光クロスコネクト装置においても、誤動作を発生させることなく必要な警報転送を円滑に実施することが可能となる。
【図面の簡単な説明】
【００１８】
【図１Ａ】リング型光ネットワークのブロック図である。
【図１Ｂ】マルチリング型光ネットワークのブロック図である。
【図１Ｃ】メッシュ型光ネットワークのブロック図である。
【図２Ａ】１ｘＮ ＷＳＳ光スイッチの動作を説明する図である。
【図２Ｂ】Ｎｘ１ ＷＳＳ光スイッチの動作を説明する図である。
【図３】ＷＳＳ光スイッチを用いた光分岐挿入装置の主信号のハードウェアブロック図である。
【図４】光インタフェース部の構成を説明する図である。
【図５】光分岐挿入装置の制御機能部を含んだノード構成を説明する図である。
【図６】ＬＯＳ警報のマスクを説明するリング型光ネットワークの波長パス設定である。
【図７】ＬＯＳ警報のマスクを説明するマルチリング型光ネットワークの波長パス設定である。
【図８】光クロスコネクト装置の主信号のハードウェアブロック図である。
【図９】Ｎ方路対応光クロスコネクト装置の制御部を含んだ構成を説明する図である。
【図１０】光クロスコネクト装置のポート間接続構成を説明する図である。
【図１１】光クロスコネクト装置のファイバ接続情報管理テーブルである。
【図１２】光クロスコネクト装置の波長パス情報管理テーブルである。
【図１３】光クロスコネクト装置のＯＳＣ警報転送情報管理テーブルである。
【図１４】光クロスコネクト装置の警報転送処理のフローチャートである。
【図１５】１ｘＮ光スイッチを使用した場合光クロスコネクト装置の主信号のハードウェアブロック図である。
【図１６】１ｘＮ光スイッチを使用した光クロスコネクト装置の制御部を含んだ構成を説明する図である。
【図１７】１ｘＮ光スイッチを使用した光クロスコネクト装置のＯＳＣ警報転送情報管理テーブルである。
【図１８】１ｘＮ光スイッチを使用した光クロスコネクト装置の警報転送処理のフローチャートである。
【発明を実施するための形態】
【００１９】
以下本発明の実施の形態について、実施例を用い図面を参照しながら詳細に説明する。なお、実質同一部位には同じ参照番号を振り、説明は繰り返さない。
【００２０】
図３ないし図６を参照して、ＷＳＳを使用した光分岐挿入装置（ＯＡＤＭ）の構成とその動作を説明する。まず、図３を参照して、ＯＡＤＭ装置を構成する機能部のうち、光信号に関係するハードウェアを説明する。図３において、ＯＡＤＭ１０２は、方路単位で光スイッチ部１１６がノードあたり２個実装された構成である。ＯＡＤＭ装置１０２は、光ファイバ伝送路１０１から受信した光信号について、伝送路の損失を補うべく受信光増幅器１０８で増幅し、１ｘ２ ＷＳＳ光スイッチ１１０へ送信する。１ｘ２ ＷＳＳ光スイッチ１１０は、図示しない制御部に有するパス設定情報、即ちどの波長が当該ノードでＤｒｏｐされ、どの波長が当該ノードでＴｈｒｏｕｇｈされるかという分岐情報を基に、光スイッチを制御する。また、２ｘ１ ＷＳＳ光スイッチ１１１は、どの波長が当該ノードでＡｄｄされ、どの波長が当該ノードでＴｈｒｏｕｇｈされるかという挿入情報を基に光スイッチを制御する。図３では、方路１、方路２の光スイッチ部１１６ともＰｏｒｔ＿２が分岐挿入ポートとして使用され、Ｐｏｒｔ＿１がＴｈｒｏｕｇｈポートとして使用されている。２ｘ１ ＷＳＳ光スイッチ１１１を通過した主信号は、送信光増幅器１０９で増幅され、再び光ファイバ伝送路１０１に送信される。
【００２１】
また、２ｘ１ ＷＳＳ光スイッチ１１１通過後の主信号のごく一部は、主信号分波用光カプラ１０６で分波され、光チャネルモニタ１１２で光波長単位の光レベルをモニタする。光チャンネルモニタ１１２は、光レベルが想定範囲外の異常値を示したとき、個別波長単位で警報検出する。
【００２２】
各方路の伝送路１０１からの入出力には、監視制御光合分波器１１７が取り付けられ、監視制御光信号のみが光監視制御（Optical Supervisory Channel；ＯＳＣ）部１０７に接続される。光監視制御部１０７は、主信号とは異なる波長の監視制御光信号で情報が隣接ノード間でやり取りする。監視制御光信号は、必要に応じて隣接ノードからの警報転送情報等がＳＴＭ−１（１５５．５２Ｍｂｉｔ／ｓ）などのＳＤＨ信号で伝達される。
【００２３】
当該ノードでＡｄｄ、Ｄｒｏｐする光信号は、光インタフェース部１１３で生成受信される。光インタフェース部１１３の構成としては、各光スイッチのｐｏｒｔ＿２から入出力される光信号が１波長のみの場合、図４（ａ）に示すようにトランスポンダ部１１４を直接、ｐｏｒｔ＿２に接続してもよい。
【００２４】
また、各光スイッチのｐｏｒｔ＿２から入出力される光信号が複数波長にわたる場合、光インタフェース部１１３は、図４（ｂ）に示したようにArrayed Waveguide Grating（ＡＷＧ）光合分波器１１５を介した上でトランスポンダ部１１４に接続する。
または、図４（ｃ）に示すように、光インタフェース部１１３は、１ｘＮ ＷＳＳ光スイッチ１０４、Ｎｘ１ ＷＳＳ光スイッチ１０５を介した上でトランスポンダ部１１４に接続する構成も可能である。
【００２５】
図５を参照して、監視制御部をも含めたＯＡＤＭ装置全体の構成を説明する。図５において、ＯＡＤＭ装置１０２は、監視制御部１１９と、２台の光スイッチ部１１６とから構成されている。
【００２６】
光スイッチ部１１６の内部制御部は、ＯＳＣ警報情報抽出・挿入部１２４、光増幅器制御部１２５、光スイッチ制御部１２６、警報情報収集部１２７、ＣＰＵ１２８、通信制御部１１８から構成される。
【００２７】
ＯＳＣ警報情報抽出・挿入部１２４は、ＯＳＣ部１０７からの警報転送情報を抽出し、また警報転送情報をＯＳＣ光信号に挿入し次ノード以降に送信を行なう。光増幅器制御部１２５は、受信光増幅器１０８、送信光増幅器１０９の制御を担なう。光スイッチ制御部１２６は、該当ノードの波長パス設定情報に基づいて１ｘ２ ＷＳＳ光スイッチ１１０、２ｘ１ ＷＳＳ光スイッチ１１１を駆動し、該当方路の光スイッチ設定情報を管理する。警報情報収集部１２７は、光チャネルモニタ１１２で監視される波長単位での光レベルから波長単位の主信号警報情報を収集する。これらＯＳＣ警報情報抽出・挿入部１２４〜警報情報収集部１２７の内部制御部は、光スイッチ部１１６用のＣＰＵ１２８と光スイッチ部内部の通信線で接続される。
【００２８】
ノード監視制御部１１９は、構成情報格納部１２０、ＯＳＣ警報情報格納部１２１、パス管理情報格納部１２２、警報情報格納部１２３、ＣＰＵ１２９、通信制御部１１８から構成される。
【００２９】
構成情報格納部１２０は、ノード全体の構成、即ち光スイッチ部１１６が何方路分実装されているか、インタフェース部として何波長が実装されているか等の構成情報テーブルを有する。ＯＳＣ警報情報格納部１２１は、各方路の光スイッチ部１１６で抽出したＯＳＣ警報情報を管理するテーブルを有する。パス管理情報格納部１２２は、各方路の波長パス状態の管理テーブルを有する。警報情報格納部１２３は、各方路の光スイッチ部１１６等で検出した警報情報を管理する。
【００３０】
これら構成情報格納部１２０〜警報情報格納部１２３の情報格納部は、ノード監視制御部１１９用のＣＰＵ１２９とノード監視制御部内部の通信線で接続される。
【００３１】
光スイッチ部１１６を制御するＣＰＵ１２８とノード監視制御部１１９用のＣＰＵ１２９とは、各機能部間の通信制御部１１８を介して接続される。これによりノード監視制御部１１９は、各光スイッチ部１１６と通信する。ノード監視制御部１１９は、ノード全体の各光スイッチ部からの情報を集約する。ノード監視制御部１１９は、各光スイッチ部１１６に対して光パス設定等の命令を送信する。
【００３２】
図６を参照して、光分岐挿入装置で構成されたリング型ネットワーク構成において、Ａ局、Ｄ局で光信号が分岐挿入され、Ｂ局では光信号がＴｈｒｏｕｇｈされるような波長パス（波長：λ１）が設定され、警報が発生した場合の警報転送を説明する。
【００３３】
図６において、Ａ局においてトランスポンダ部１１４の出力側とＡ局の方路１側における光スイッチ部１１６間の接続に異常が生じた場合、Ａ局の方路１側の光チャネルモニタ１１２は、λ１信号の異常を検出する。光スイッチ部１１６は、λ１波長信号のＬＯＳ（Loss Of Signal）警報を検出して、ノード監視制御部１１９に通知する。ここで、警報マスク機能が無い場合、主信号をＴｈｒｏｕｇｈするＢ局においても、Ｂ局方路１光スイッチ部１１６の光チャネルモニタ１１２で同様にλ１波長信号のＬＯＳ警報を検出する。また、Ｄｒｏｐノードにおいては光インタフェース部１１３のトランスポンダ１１４入力部において光信号のＬＯＳ警報を検出する。この結果、複数ノードに渡って同じλ１のＬＯＳ警報を検出することになり、保守者による警報発生箇所の特定を難しくする。
【００３４】
このような複数ノードに渡って同一警報が発生するのを防止するために光信号の上流側で要因となる警報が発生したことを示すＦＤＩ警報を生成し、下流のノードに警報転送する仕組みが用いられる。動作原理は、以下の通りである。
（１）Ａ局においてλ１のＬＯＳ警報を検出した場合、光信号の波長λ１のＦＤＩ（Forward Error Indication）警報をＡ局ノード監視制御部１１９の警報管理情報格納部１２３に生成する。
（２）Ａ局で生成したＦＤＩ警報情報をノード監視制御部１１９のＯＳＣ警報情報格納部１２１に格納した上で、ノード監視制御部１１９は、方路１光スイッチ部１１６のＯＳＣ警報情報抽出・挿入部１２４に対してＡ局で生成したＦＤＩ警報情報をＯＳＣのＳＤＨ信号に挿入するように命令を出し、ＦＤＩ警報を次ノード（Ｂ局）に送信する。
（３）Ｂ局の方路２光スイッチ部１１６のＯＳＣ警報情報抽出・挿入部１２４は、Ａ局から送信されてきたλ１のＦＤＩ警報を受信する。Ｂ局のノード監視制御部１１９は、方路２の光スイッチ部で受信したλ１のＦＤＩ警報をＯＳＣ警報情報格納部１２０に格納する。
（４）Ｂ局のノード監視制御部１１９は、ＦＤＩ警報を受信した該当方路２のλ１パス情報がＴｈｒｏｕｇｈであることをパス管理情報格納部１２２で確認し、ＦＤＩ警報情報を受信した方路ではないもう一方の方路（方路１）の光スイッチ部１１６に対して、λ１のＦＤＩ警報をＯＳＣ信号に挿入するように命令を出し、ＦＤＩ警報を次のＣノードに送信する。このことによりＦＤＩ警報の次ノードへの転送を実現する。
（５）更に、Ｂ局のノード監視制御部１１９は、ＦＤＩ警報を受信した該当方路２のλ１パス情報がＴｈｒｏｕｇｈであることをパス管理情報格納部１２２で確認し、ＦＤＩ警報情報を受信した方路ではないもう一方の方路（方路１）の光スイッチ部１１６で検出しているλ１のＬＯＳ警報をマスクする。すなわち、光スイッチ部１１６の警報情報収集部１２７は、λ１のＬＯＳ警報を検出しているが、ノード監視制御部１１９の警報情報格納部１２３は、λ１のＬＯＳ警報が発生していない状態であるとして、警報情報格納部１２３にλ１の警報情報を格納する。このことによりＤ局のノード監視制御部は、λ１のＬＯＳ警報非発生として認識し、上流側で発生したＬＯＳ警報によって波及した警報をマスクする。
（６）Ｄ局の方路２光スイッチ部１１６のＯＳＣ警報情報抽出・挿入部１２４は、Ｂ局から送信されてきたλ１のＦＤＩ警報を受信する。Ｄ局のノード監視制御部１１９は、方路２の光スイッチ部で受信したλ１のＦＤＩ警報をＯＳＣ警報情報格納部１２０に格納する。
（７）Ｄ局のノード監視制御部１１９は、ＦＤＩ警報を受信した該当方路２のλ１パス情報がＤｒｏｐであることをパス管理情報格納部１２２で確認し、ＦＤＩ警報情報を受信した方路に接続されているトランスポンダ１１４のＬＯＳ警報をマスクする。即ちトランスポンダ１１４ではＬＯＳ警報を検出しているが、ノード監視制御部１１９の警報情報格納部１２３ではトランスポンダのＬＯＳ警報が発生していない状態であるとして、警報情報格納部１２３に警報情報を格納する。
【００３５】
ノードあたりの方路数が２である光分岐挿入装置の警報転送動作を説明してきたが、次に、扱う方路数が３以上の複数方路に渡る光クロスコネクト装置は、上述の警報転送では対応できない。
【実施例１】
【００３６】
図７を参照して、ＬＯＳ警報のマスクを説明するマルチリング型光ネットワークの波長パス設定を説明する。図７（ａ）のマルチリング型光ネットワーク２２０において、Ｄ局は、４方路を扱う光クロスコネクト装置１０３である。マルチリング型光ネットワーク２２０において、Ｂ局、Ｅ局で光信号が分岐挿入され、Ｄ局では光信号がＴｈｒｏｕｇｈされるような波長パス１（波長はλ１）と、Ｃ局、Ｅ局で光信号が分岐挿入され、Ｄ局では光信号がＴｈｒｏｕｇｈされるような波長パス２（波長はλ１）とが設定されている。また、図７（ｂ）において、Ｄ局の方位を定義する。
【００３７】
図７（ａ）に戻って、波長パス１に警報が発生した場合の警報転送を考える。図６を用いて説明した光分岐挿入装置の場合と同様に、Ｂ局においてトランスポンダ部１１４の出力側とＢ局の方路１側における光スイッチ部１１６間の接続に異常が生じた場合を考える。すると、Ｄ局の光クロスコネクト装置でのＦＤＩ警報転送動作に支障が生じることがわかる。光分岐挿入装置では、方路が２つしかないために、ＦＤＩ警報を転送する場合にはＦＤＩ警報を受信した方路ではない方路、すなわち方路１でＦＤＩ警報を受信し、ＦＤＩ警報を転送する必要がある場合には方路２に転送すればよく、どの方路に転送すればよいかを考慮する必要がない。
【００３８】
一方、図７に示したような波長パスの場合、方路２で受信したＦＤＩ警報は、必ず方路１に対してＦＤＩ警報を転送しなければならず、方路３、４にはＦＤＩ警報を転送してはならないことになる。誤ってＦＤＩ警報を方路３、４に転送した場合には、波長パス２に対して誤った警報を転送することになり、ひいては波長パス２に対して誤ったＬＯＳ警報マスクを実施してしまうことになる。
【００３９】
また、ＬＯＳ警報のマスクについてもＦＤＩ警報転送と同様であり、光分岐挿入装置では方路１で受信したＦＤＩ警報により単純に方路２のＬＯＳ警報をマスクすればよかったが、図７ではどの方路のＬＯＳ警報に対してマスクするかどうかを光クロスコネクト装置で管理する必要が生じる。
【００４０】
図８を参照して、ＷＳＳを用いた方路数Ｎの光クロスコネクト装置の構成を説明する。図８は、光クロスコネクト装置１０３Ａを構成する機能部のうち、光信号に関係するハードウェアの機能ブロック図であり、方路単位で光スイッチ部１３０がノードあたりＮ個実装された構成を示している。
【００４１】
図８において、光クロスコネクト装置１０３Ａの光スイッチ部１３０が、光分岐挿入装置１０２の光スイッチ部１１８とで異なる点は、光スイッチとして、Ｎ方路対応のために１ｘＮ ＷＳＳ光スイッチ１０４、Ｎｘ１ ＷＳＳ光スイッチ１０５が実装され、光スイッチ部１３０の各入出力ポートＰｏｒｔ＿１、Ｐｏｒｔ＿２…Ｐｏｒｔ＿Ｎが全光スイッチ部１３０同士で光ファイバ接続されている点であり、その他の点は機能ブロックとしては同一である。
【００４２】
すなわち、光クロスコネクト装置１０３Ａは、Ｎ台の光スイッチ部１３０と、Ｎ台の光インタフェース部１１３とを含んで構成されている。光スイッチ部１３０は、監視光分離部１１７、受信光アンプ１０８、１×Ｎ ＷＳＳ１０４、Ｎ×１ ＷＳＳ１０５、光カプラ１０６、送信光アンプ１０８、監視光多重部１１７、監視光制御部１０７、光チャネルモニタ１１２で構成される。１×Ｎ ＷＳＳ１０４の送信Ｐｏｒｔ＿Ｎと、Ｎ×１ ＷＳＳ１０５の受信Ｐｏｒｔ＿Ｎとの間には、光インタフェース部１１３が挿入されている。
【００４３】
図９を参照して、監視制御部をも含めた光クロスコネクト装置全体の構成を説明する。図９において、光クロスコネクト装置１０３Ａは、光スイッチ部１３０には制御部として、ＯＳＣ警報情報抽出部１３６、光増幅器制御部１３７、光スイッチ制御部１３８、警報情報収集部１３９を含んで構成される点も光分岐挿入装置１０２と同様である。また、これらＯＳＣ警報情報抽出部１３６〜警報情報収集部１３９は、光スイッチ部１３０用のＣＰＵ１４０と光スイッチ部内部の通信線で接続される点も光分岐挿入装置と同様である。
【００４４】
ノード監視制御部１３０についても、構成情報格納部１３２、ＯＳＣ警報情報格納部１３３、パス管理情報格納部１３４、警報情報格納部１３５から構成される点、これら構成情報格納部１３２〜警報情報格納部１３５の情報格納部はノード監視制御部１３１用のＣＰＵ１４１とノード監視制御部内部の通信線で接続される点も光分岐挿入装置１０２と同様である。
【００４５】
以上のように、光クロスコネクト装置１０３は、ノード構成そのものは光分岐挿入装置１０２の場合とほぼ同様の構成となる。しかし、光クロスコネクト装置１０３は、警報転送を実現するために各情報格納部において格納すべき管理情報そのものは大きく異なる。
【００４６】
以下、図７のＤ局、すなわち方路数４の光クロスコネクト装置の場合について、どのような情報を管理して、警報転送時にどのような動作が行われるかを説明する。
図１０を参照して、光クロスコネクト装置に接続される方路数と、光クロスコネクト装置に用いるＷＳＳのポート数の関係を説明する。図１０において、光クロスコネクト装置１０３Ｂは、方路数４なので、光スイッチ部１３０を４式備える。光スイッチ部１３０に備えるＷＳＳ１４３の出力は、他の方路への３Ｐｏｒｔと、Ｄｒｏｐ用の１Ｐｏｒｔで、合計４Ｐｏｒtである。同様に、光スイッチ部１３０に備えるＷＳＳ１４４の入力は、他の方路からの３Ｐｏｒｔと、Ａｄｄ用の１Ｐｏｒｔで、合計４Ｐｏｒtである。すなわち、光クロスコネクト装置１０３に接続可能な方路数は、各方路のＤｒｏｐ用ＷＳＳ１４３の出力ポート数および各方路のＡｄｄ用ＷＳＳ１４４の入力ポート数と同じである。
【００４７】
図１１を参照して、ノード監視制御部の構成管理情報格納部に格納される構成管理テーブルを説明する。図１１において、構成管理テーブル３１０は、１×４ ＷＳＳ方路３１１、１×４ ＷＳＳ Ｐｏｒｔ３１２、装置内光ファイバ接続先方路３１３、装置内光ファイバ接続先ポート３１４から、構成される。図１１の構成管理テーブル３１０は、図１０の接続関係を図示したものとなっている。
【００４８】
図１１の構成管理テーブル３１０は、１ｘ４ ＷＳＳ光スイッチの方路単位に各方路のＰｏｒｔ出力がどの方路のどの４ｘ１Ｐｏｒｔ入力に接続されているかを管理する。具体的には、方路１の１ｘ４ ＷＳＳ光スイッチ１４３のＰｏｒｔ＿１出力は、方路２の４ｘ１ ＷＳＳ光スイッチ１４４のＰｏｒｔ＿１入力に接続される。また、方路１の１ｘ４ ＷＳＳ光スイッチ１４３のＰｏｒｔ＿２出力は、方路３の４ｘ１ ＷＳＳ光スイッチ１４４のＰｏｒｔ＿１入力に接続される。…というように、光クロスコネクト装置１０３の１ｘ４ ＷＳＳ光スイッチと４ｘ１ ＷＳＳ光スイッチの接続関係を明確化して管理する。
【００４９】
図１２を参照して、ノード監視制御部の波長パス管理情報格納部に格納される波長パス管理テーブルを説明する。図１２において、波長パス管理テーブル３２０は、１×４ ＷＳＳ方路３２１、ポート３２２、波長３２３、１×４ ＷＳＳパス設定３２４、４×１ ＷＳＳパス設定３２５、トランスポンダ接続先実装位置３２６から構成される。
【００５０】
波長パス管理テーブル３２０は、方路単位で、１ｘ４ ＷＳＳ光スイッチ１４３、４ｘ１ ＷＳＳ光スイッチ１４４のポート単位、波長単位の光スイッチの状態を管理する。具体的には、方路１に関して各ポート単位でλ１、λ２、λ３、…、λｍまでの各光スイッチの状態を管理しているテーブルである。
【００５１】
１ｘ４ ＷＳＳ光スイッチ１４３のパス状態は、使用されるノードでＴｈｒｏｕｇｈするかＤｒｏｐするかパス設定が全く入っていないかのいずれかしか取り得ない。したがって、パス状態としては「Ｔｈｒｏｕｇｈ」「Ｄｒｏｐ」「ＯＦＦ」の３状態でパス状態を管理する。ここで、「ＯＦＦ」はパス設定が無い状態を表す。各方路で「Ｔｈｒｏｕｇｈ」または「Ｄｒｏｐ」設定が入るのはＰｏｒｔ＿１〜Ｐｏｒｔ＿４のいずれか１ポートのみである。図１２では、λ１の「Ｔｈｒｏｕｇｈ」パス設定が、Ｐｏｒｔ＿１に対して設定されているため、他のＰｏｒｔ＿２、３、４のλ１パス設定は必然的に「ＯＦＦ」となる。
【００５２】
４ｘ１ ＷＳＳ光スイッチ１４４のパス状態は、使用されるノードでＴｈｒｏｕｇｈするかＡｄｄするかパス設定が全く入っていないかのいずれかしか取り得ない。したがって、パス状態としては「Ｔｈｒｏｕｇｈ」「Ａｄｄ」「ＯＦＦ」の３状態でパス状態を管理する。ここで、「ＯＦＦ」はパス設定が無い状態を表す。各方路で「Ｔｈｒｏｕｇｈ」または「Ａｄｄ」設定が入るのはＰｏｒｔ＿１〜Ｐｏｒｔ＿４のいずれか１ポートのみである。図１２では、λ１の「Ｔｈｒｏｕｇｈ」パス設定が、Ｐｏｒｔ＿１に対して設定されているため、他のＰｏｒｔ＿２、３、４のλ１パス設定は必然的に「ＯＦＦ」となる。
【００５３】
最終列のトランスポンダ実装位置は該当ノードでＡｄｄ／Ｄｒｏｐする波長パスがある場合に、どのポートのどの波長とトランスポンダとが１対１で接続されているかを識別するために管理する。図示はしていないが、ノードの方路１のＰｏｒｔ４のλ３にＡｄｄ／Ｄｒｏｐの波長パスが設定されており、トランスポンダが複数ユニットある中の１番目のユニット、複数スロット中の３番目のスロットに挿入されているような場合には、「方路１」「Ｐｏｒｔ＿４」「λ３」の行のトランスポンダ実装位置欄には「１−３」（＝ユニット番号−スロット番号）のようにデータを格納してトランスポンダ実装位置と光スイッチとの接続関係を管理する。
【００５４】
図１３を参照して、ノード監視制御部のＯＳＣ警報情報転送情報格納部に格納されるＯＳＣ警報情報管理テーブルを説明する。図１３において、ＯＳＣ警報情報管理テーブル３３０は、１×４ ＷＳＳ方路３３１、ポート３３２、波長３３３、１×４ ＷＳＳ光スイッチパス設定３３４、装置内光ファイバ接続先方路３３５、トランスポンダ接続先実装位置３３６、ＦＤＩ受信３３７から構成される。
【００５５】
ＯＳＣ警報情報転送情報格納部１３３では、図１１、図１２で説明した構成管理情報格納部１３２、波長パス管理情報格納部１３４に格納される管理テーブルから、警報転送に必要な情報を取り出してＯＳＣ警報情報管理テーブル３３０を構成する。ＯＳＣ警報情報管理テーブル３３０は、方路単位で、１ｘ４ ＷＳＳ光スイッチ１４３のポート単位、波長単位の光スイッチの状態を波長パス管理情報格納部から必要情報を取り出して管理し、その上で構成管理情報格納部から１ｘ４ ＷＳＳ出力ポートがどの方路に接続されているかを表す装置内光ファイバ接続先方路情報を取り出して管理する。
【００５６】
図１３において、１列目の１ｘ４ ＷＳＳ方路３３１から４列目の１ｘ４ ＷＳＳ光スイッチパス設定３３５までの情報は、図１２で説明した波長パス設定管理テーブル３２０と同一であり、また６列目のトランスポンダ実装位置３３６も波長パス設定管理テーブル３２０の６列目の内容と同一である。
【００５７】
それに対して５列目の装置内光ファイバ接続先方路３３５は、図１１で説明した構成管理テーブル３１０の装置内光ファイバ接続先方路３１３の内容を参照して格納する。図１１から方路１の光スイッチ部ではＰｏｒｔ＿１が方路２に、Ｐｏｒｔ＿２が方路３に、Ｐｏｒｔ＿３が方路４に接続されているため、図１３のＯＳＣ警報情報管理テーブル３３０の６列目もＰｏｒｔ＿１に該当する欄は「方路２」、Ｐｏｒｔ＿２に該当する欄は「方路３」、Ｐｏｒｔ＿３に該当する欄には「方路４」と入力して管理される。図１３の最終第７列であるＦＤＩ受信３３７は、光スイッチ部で受信したＦＤＩ警報情報を格納する。図１３では、方路１の波長パスλ１にＦＤＩ警報を受信したことを表している。
【００５８】
次に、図１４を参照して、このＯＳＣ警報情報管理テーブルを用いて、ＦＤＩ警報を転送する動作を説明する。ここでは、図７の波長パスλ１に対して、Ｂ局のトランスポンダ〜光スイッチ部間の光ファイバ接続に異常が発生し、Ｂ局からＤ局に対してλ１のＦＤＩ警報が送信されてきた場合の処理フローを説明する。
【００５９】
図１４において、Ｄ局の方路１光スイッチ部１３０は、λ１のＦＤＩ警報を受信する（Ｓ１０１）。Ｄ局のノード監視制御部１３１は、方路１光スイッチ部のλ１波長パスのＦＤＩ警報を受信したことを確認する（Ｓ１０２）。Ｄ局のノード監視制御部１３１は、ＯＳＣ警報転送情報格納部の「方路１」用ＯＳＣ警報情報管理テーブル３３０を基に、ＯＳＣ警報情報管理テーブル３３０の１ｘ４ ＷＳＳ光パス設定３３４のλ１に「Ｔｈｒｏｕｇｈ」または「Ｄｒｏｐ」のパス設定が入っているＰｏｒｔを探索し、該当する行のＦＤＩ警報３３７欄にＦＤＩ警報を受信したことを示す情報を格納する（Ｓ１０３）。
【００６０】
Ｄ局のノード監視制御部１３１は、１ｘ４ ＷＳＳ光パス設定３３４が「Ｔｈｒｏｕｇｈ」であったか「Ｄｒｏｐ」であったかで処理を２分岐する。
１ｘ４ ＷＳＳ光パス設定３３４が「Ｔｈｒｏｕｇｈ」のとき、Ｄ局のノード監視制御部１３１は、ＯＳＣ警報転送情報格納部の「方路１」用ＯＳＣ警報情報管理テーブル３３０を基に、格納されたＦＤＩ警報行と同一行にある装置内光ファイバ接続先方路３３５欄を確認し、そこに格納されている方路に対してＦＤＩ警報を送信する（Ｓ１０４）。ここでは、図１３の該当行には「方路２」の情報が格納されているので、方路２の光スイッチ部に対してλ１のＦＤＩ警報を挿入する。Ｄ局のノード監視制御部１３１は、方路２のλ１ＬＯＳ警報をマスクする（Ｓ１０５）。
【００６１】
１ｘ４ ＷＳＳ光パス設定３３４が「Ｄｒｏｐ」のとき、Ｄ局のノード監視制御部１３１は、ＯＳＣ警報転送情報格納部１３３の「方路１」用ＯＳＣ警報情報管理テーブル３３０を基に、格納されたＦＤＩ警報行と同一行にあるトランスポンダ接続先実装位置３３６欄を確認し、そこに格納されているトランスポンダで発生するＬＯＳ警報をマスクする（Ｓ１０６）。
【００６２】
以上のような処理を実行することにより、３方路以上の複数方路を収容する光クロスコネクト装置に対してもＦＤＩ警報等の警報転送処理が円滑に実施され、原因警報以外の波及したＬＯＳ警報をマスクすることができる。
【００６３】
また、図１１ないし図１３のように方路単位で管理テーブルを構成することにより、方路数が１ｘＮ ＷＳＳ光スイッチの増設可能な範囲で増設実施した場合であっても、既存の管理テーブルのデータには波及を及ぼすことなく管理テーブルを増やすことが可能となる。具体的には、これまで説明したＤ局の光クロスコネクト装置の構成では４方路までしか増設できない。しかし、Ｄ局のＷＳＳとして１ｘ４ ＷＳＳ光スイッチの代わりに１ｘ９ ＷＳＳ光スイッチが実装され９方路までの増設が可能な場合であっても、図１３のように方路単位で管理テーブルを構成することにより、既存の方路の管理テーブルには全く影響を及ぼすことなく、方路の増設が可能である。
【実施例２】
【００６４】
実施例１は波長パスが１対１（図７ではＢ局〜Ｅ局間）の場合の警報転送について説明した。実施例２は、波長パスが１対Ｎのような光マルチキャストパスを実現可能な構成における警報転送について説明する。
【００６５】
実施例２の光クロスコネクト装置の構成を図１５および図１６を参照して、説明する。図１５は、実施例２における光クロスコネクト装置の光信号に関する部分の機能ブロック図である。また、図１６は、ノード構成図である。実施例１の図８、図９との構成の違いは、マルチキャスト実現のためにＤｒｏｐ／Ｔｈｒｏｕｇｈ選択側の１ｘＮ ＷＳＳ光スイッチの代わりに１ｘＮ光スイッチ１４５を実装したのみの違いとなる。
【００６６】
Ｄｒｏｐ／Ｔｈｒｏｕｇｈ選択側に光スイッチを用いた場合、Ｄｒｏｐ側／Ｔｈｒｏｕｇｈ側ともに波長多重光が送信される。このため、インタフェース部１１３の構成は、図４（ａ）のインタフェース部１１３Ａでは実施不可能であり、図４（ｂ）または（ｃ）で示したにＡＷＧ合分波器１１５または１ｘＮ ＷＳＳ光スイッチ１０４を介してトランスポンダ１１４に接続される構成となる。
【００６７】
このような場合も管理テーブル構成自体は実施例１で示した構成と同様の構成で、実現可能である。実施例１との管理情報の相違点は、１ｘＮ ＷＳＳ光パス設定のパス情報として「Ｔｈｒｏｕｇｈ」「Ｄｒｏｐ」「ＯＦＦ」の３種類に追加して、マルチキャストパスであることを示す「Ｂｒｉｄｇｅ」というパス設定状態を追加して、４状態で管理する必要がある点である。
【００６８】
図１７を参照して、図７の波長パスλ１が、マルチキャストパスでＤ局でもインタフェース部に対してＤｒｏｐしつつ、同一信号をＥ局にも送信する場合のＯＳＣ警報転送管理テーブルを説明する。図１７において、ＯＳＣ警報転送管理テーブル３３０Ａの構成は、図１３のＯＳＣ警報転送管理テーブル３３０と同様である。
【００６９】
図１７において、図１３の方路１／Ｐｏｒｔ＿１／λ１欄に「Ｔｈｒｏｕｇｈ」と記載されていた１ｘ４ ＷＳＳ光パス設定３３４欄に相当する１×４光スイッチパス設定３３４Ａは、「Ｔｈｒｏｕｇｈ」の代わりに、Ｄｒｏｐ信号もあることを表す「Ｂｒｉｄｇｅ」というパス情報でデータが格納されている。また、トランスポンダ実装位置３３６欄に実際にλ１の信号をＤ局で受信するトランスポンダの実装位置情報が格納されている。
【００７０】
図１８を参照して、図１７に示した管理テーブルを有する光クロスコネクト装置における警報転送処理を説明する。図１８において、ステップ２０１からステップ２０６は、図１４のステップ１０１からステップ１０６と同じなので、説明を省く。図１４の処理フローとの相違点は、１ｘ４ ＷＳＳ光パス情報でのパス情報による分岐に「Ｂｒｉｄｇｅ」が設定されている場合の処理が追加される点である。
【００７１】
Ｂｒｉｄｇｅパスのとき、Ｄ局のノード監視制御部１３１は、ＯＳＣ警報転送情報格納部の「方路１」用ＯＳＣ警報情報管理テーブル３３０Ａを基に、格納されたＦＤＩ警報行と同一行にある装置内光ファイバ接続先方路３３５欄を確認し、そこに格納されている方路に対してＦＤＩ警報を送信する（Ｓ２０７）。ここでは、図１７の該当行には「方路２」の情報が格納されているので、方路２の光スイッチ部に対してλ１のＦＤＩ警報を挿入する。Ｄ局のノード監視制御部１３１は、方路２のλ１ＬＯＳ警報をマスクする（Ｓ２０８）。Ｄ局のノード監視制御部１３１は、ＯＳＣ警報転送情報格納部１３３の「方路１」用ＯＳＣ警報情報管理テーブル３３０Ａを基に、格納されたＦＤＩ警報行と同一行にあるトランスポンダ接続先実装位置３３６欄を確認し、そこに格納されているトランスポンダで発生するＬＯＳ警報をマスクする（Ｓ２０９）。
【００７２】
以上のように実施例１に対して「光パス管理情報」の状態に「Ｂｒｉｄｇｅ」というパス設定状態を１個追加し、パス設定に「Ｂｒｉｄｇｅ」が入っているときの警報転送処理フローを既存のフローに追加することにより、マルチキャスト対応の光クロスコネクト装置に対しても、ＦＤＩ警報等の警報転送処理が円滑に実施され、原因警報以外の波及したＬＯＳ警報をマスクすることが可能となる。
【符号の説明】
【００７３】
１０１…光ファイバ伝送路、１０２…光分岐挿入装置、１０３…光クロスコネクト装置、１０４…１ｘＮ波長選択スイッチ、１０５…Ｎｘ１波長選択スイッチ、１０６…カプラ、１０７…光監視制御部、１０８…受信光増幅器、１０９…送信光増幅器、１１０…１ｘ２波長選択スイッチ、１１１…２ｘ１波長選択スイッチ、１１２…光チャネルモニタ、１１３…光インタフェース部、１１４…トランスポンダ部、１１５…ＡＷＧ光合分波器、１１６…光スイッチ部、１１７…監視光合分波用１ｘ２光合分波器、１１８…各機能部間の通信制御部、１１９…ノード監視制御部、１２０…構成管理情報格納部、１２１…ＯＳＣ警報情報格納部、１２２…波長パス管理情報格納部、１２３…警報管理情報格納部、１２４…ＯＳＣ警報情報抽出・挿入部、１２５…光増幅器制御部、１２６…光スイッチ制御部、１２７…警報情報収集部、１２８…ＣＰＵ、１２９…ＣＰＵ、１３０…光スイッチ部、１３１…ノード監視制御部、１３２…構成管理情報格納部、１３３…ＯＳＣ警報転送情報格納部、１３４…波長パス管理情報格納部、１３５…警報管理情報格納部、１３６…光ＯＳＣ警報情報抽出・挿入部、１３７…光増幅器制御部、１３８…光スイッチ制御部、１３９…警報情報収集部、１４０…ＣＰＵ、１４１…ＣＰＵ、１４２…通信制御部、１４３…１ｘ４ ＷＳＳ光スイッチ、１４４…４ｘ１ ＷＳＳ光スイッチ、１４５…１ｘＮ光スイッチ、２１０…リング型光ネットワーク、２２０…マルチリング型光ネットワーク、２３０…メッシュ型光ネットワーク、３１０…構成管理テーブル、３２０…波長パス管理テーブル、３３０…ＯＳＣ警報情報管理テーブル。
【図１Ａ】
2011019165.tif 000003
【図１Ｂ】
2011019165.tif 000004
【図１Ｃ】
2011019165.tif 000005
【図２Ａ】
2011019165.tif 000006
【図２Ｂ】
2011019165.tif 000007
【図３】
2011019165.tif 000008
【図４】
2011019165.tif 000009
【図５】
2011019165.tif 000010
【図６】
2011019165.tif 000011
【図７】
2011019165.tif 000012
【図８】
2011019165.tif 000013
【図９】
2011019165.tif 000014
【図１０】
2011019165.tif 000015
【図１１】
2011019165.tif 000016
【図１２】
2011019165.tif 000017
【図１３】
2011019165.tif 000018
【図１４】
2011019165.tif 000019
【図１５】
2011019165.tif 000020
【図１６】
2011019165.tif 000021
【図１７】
2011019165.tif 000022
【図１８】
2011019165.tif 000023
【手続補正書】
【提出日】平成22年1月7日(2010.1.7)
【手続補正１】
【補正対象書類名】特許請求の範囲
【補正対象項目名】全文
【補正方法】変更
【補正の内容】
【特許請求の範囲】
【請求項１】
Ｎ方路ごとに１×Ｎ波長選択性光スイッチと、Ｎ×１波長選択性スイッチとを有し、さらに各Ｎ方路に共通な監視制御部を備えた光クロスコネクト装置において、
前記監視制御部は、前記１×Ｎ波長選択性光スイッチのパス設定と、前記１×Ｎ波長選択性光スイッチの出力先方路と、前記１×Ｎ波長選択性光スイッチの接続先の情報とを保持する警報転送情報格納部を備え、ＦＤＩ警報を受信したとき、前記警報転送情報格納部を参照して、前記ＦＤＩ警報の転送を行なうことを特徴とする光クロスコネクト装置。
【請求項２】
前記制御部は、前記ＦＤＩ警報を受信したとき、前記警報転送情報格納部を参照して、外部から受信したＬＯＳ警報をマスクすることを特徴とする請求項１に記載の光クロスコネクト装置。
【請求項３】
前記制御部は、前記ＦＤＩ警報を受信したとき、前記警報転送情報格納部を参照して、前記ＦＤＩ警報を受信した方路がスルー設定かドロップ設定かの判断をし、前記判断の結果に応じた方路について前記ＬＯＳ警報をマスクすることを特徴とする請求項１に記載の光クロスコネクト装置。
【請求項４】
前記制御部は、前記ＦＤＩ警報を受信したとき、前記警報転送情報格納部を参照し、前記ＦＤＩ警報を受信した方路がスルー設定の場合には、前記ＦＤＩ警報を受信した方路と異なる方路について前記ＬＯＳ警報をマスクすることを特徴とする請求項１に記載の光クロスコネクト装置。
【請求項５】
前記制御部は、前記ＦＤＩ警報を受信したとき、前記警報転送情報格納部を参照し、前記ＦＤＩ警報を受信した方路がドロップ設定の場合には、前記１×Ｎ波長選択性光スイッチの接続先の情報に基づいて、前記接続先で発生する前記ＬＯＳ警報をマスクすることを特徴とする請求項１に記載の光クロスコネクト装置。
【請求項６】
前記制御部は、前記ＦＤＩ警報を受信したとき、前記警報転送情報格納部を参照し、前記ＦＤＩ警報を受信した方路がブリッジ設定の場合には、前記ＦＤＩ警報を受信した方路と異なる方路について前記ＬＯＳ警報をマスクし、かつ、前記１×Ｎ波長選択性光スイッチの接続先の情報に基づいて、前記接続先で発生する前記ＬＯＳ警報をマスクすることを特徴とする請求項１に記載の光クロスコネクト装置。
【請求項７】
前記監視制御部は、主信号とは異なる波長の監視制御光信号を制御し、外部から受信した前記監視制御光信号から前記ＦＤＩ警報を抽出することを特徴とする請求項１に記載の光クロスコネクト装置。
【請求項８】
前記監視制御部は、主信号とは異なる波長の監視制御光信号を制御し、外部へ送信する前記監視制御光信号に前記ＦＤＩ警報を挿入することを特徴とする請求項１に記載の光クロスコネクト装置。
【手続補正２】
【補正対象書類名】明細書
【補正対象項目名】００１５
【補正方法】変更
【補正の内容】
【００１５】
上述した課題は、Ｎ方路ごとに１×Ｎ波長選択性光スイッチと、Ｎ×１波長選択性スイッチとを有し、さらに各Ｎ方路に共通な監視制御部を備え、監視制御部は、１×Ｎ波長選択性光スイッチのパス設定と、１×Ｎ波長選択性光スイッチの出力先方路と、１×Ｎ波長選択性光スイッチの接続先の情報とを保持する警報転送情報格納部を備え、ＦＤＩ警報を受信したとき、警報転送情報格納部を参照して、ＦＤＩ警報の転送を行なう光クロスコネクト装置により、達成できる。
【手続補正３】
【補正対象書類名】明細書
【補正対象項目名】００１６
【補正方法】削除
【補正の内容】